(57)【要約】【課題】制御基板の交換を必要とすることなく、無線モジュールを交換可能に駆動ボックスに取り付けることができる電動シャッタ駆動装置を提供することを目的とする。【解決手段】電動シャッタ駆動装置は、遠隔操作される操作部４０から無線送信された操作指示信号を受信して制御部６０へ伝達すると共に被装着部５０ｂ、５０ｃを備えた無線モジュール５０と、シャッタケース１７内に巻取り体１５の回転軸線２２方向に沿って設けられて、電動モータ２４と制御部６０と制御基板６１とを内部に設置するとともに、一端側７０Ａａには無線モジュール５０を装着する装着部７３ａ、７３ｂを備えて他端側７０Ａｂには電動モータ２４の出力部２４ａを備えた駆動ボックス７０Ａと、被装着部５０ｂ、５０ｃを装着部７３ａ、７３ｂに装着する装着部材７４と、を有する。【選択図】  図２
2019178564.tif 000002
【特許請求の範囲】
【請求項１】
シャッタを巻取り可能に回転し、巻き取られた前記シャッタをシャッタケースの両側端の間に収容可能であって、前記シャッタケース内に設けられた筒状の巻取り体と、
前記巻取り体を回転駆動可能に前記巻取り体と連結されて前記シャッタを開閉する出力部を備える電動モータと、
制御基板と、
前記制御基板に設けられて、前記電動モータを制御する制御部と、
遠隔操作される操作部から無線送信された操作指示信号を受信して前記制御部へ伝達すると共に被装着部を備えた無線モジュールと、
前記シャッタケース内に前記巻取り体の回転軸線方向に沿って設けられて、前記電動モータと前記制御部と前記制御基板とを内部に設置するとともに、一端側には前記無線モジュールを装着する装着部を備えて他端側には前記電動モータの前記出力部を備えた駆動ボックスと、
前記被装着部を前記装着部に装着する装着部材と、を有する電動シャッタ駆動装置。
【請求項２】
前記装着部は、前記無線モジュールを配置可能に前記制御基板に設けられた切欠き部を有する請求項１に記載の電動シャッタ駆動装置。
【請求項３】
前記装着部は、前記無線モジュールを前記駆動ボックスの外方から内方へ挿入可能とする挿入用窓が前記駆動ボックスに設けられた請求項１又は２記載の電動シャッタ駆動装置。
【請求項４】
前記駆動ボックスは前記巻取り体の内部に前記巻取り体の一端から前記他端側を内方に向けて設置され、前記無線モジュールには手動による確認操作が行なわれる確認操作部が設けられて、前記確認操作部は、前記駆動ボックスの前記一端側に配置され、前記駆動ボックスの前記一端側は前記巻取り体の前記一端と前記巻取り体の前記一端と対向する前記シャッタケースの前記両側端の内の一側端との間に配置され、前記駆動ボックスに前記確認操作に使用可能な確認操作用窓が設けられた請求項１乃至３のいずれか１項に記載の電動シャッタ駆動装置。
【請求項５】
前記確認操作用窓は、前記駆動ボックスの前記一端側で、所定の幅で前記巻き取り体の前記回転軸線方向に沿う請求項４に記載の電動シャッタ駆動装置。
【請求項６】
前記確認操作用窓は、前記シャッタケースの前記一側端に対向する側は開放した開放部を備える請求項５に記載の電動シャッタ駆動装置。
【発明の詳細な説明】
【技術分野】
【０００１】
本発明は、電動シャッタ駆動装置に関し、特に無線モジュールを備えた電動シャッタ駆動装置に関する。
【背景技術】
【０００２】
電動モータ等の駆動にて巻取り体により巻き取られたシャッタをシャッタケース内に収容可能とするシャッタ装置が従来から知られている。そのシャッタの巻取り及び巻戻しの指示は、遠隔操作即ちリモコンによって行なわれ、リモコンは無線モジュールを使用した無線方式が知られている。
【０００３】
無線モジュールは、リモコンからのシャッタの巻取りや巻戻しなどの操作指示信号を受信し、その操作指示信号を電動モータの駆動を制御する制御部へ伝達する。制御部は、電動モータを備える駆動ボックスの内部に設けられた制御基板に取り付けられている。従って、無線モジュールは、その取り付けの容易性及び制御部への受信した操作指示信号の伝達の容易性を鑑みて、制御部が設けられた制御基板に取り付けられている。
【先行技術文献】
【特許文献】
【０００４】
【特許文献１】特開２０１５−２５２７０号公報
【発明の概要】
【発明が解決しようとする課題】
【０００５】
しかしながら、上述した特許文献１の電動シャッタ駆動装置では、無線モジュールを交換する場合には、制御部を含めて制御基板毎交換する必要があった。
【０００６】
本発明は、上述した問題を解消するためになされたもので、制御基板の交換を必要とすることなく無線モジュールを交換可能に駆動ボックスに取り付けることができる電動シャッタ駆動装置を提供することを目的とする。
【課題を解決するための手段】
【０００７】
本発明に係る電動シャッタ駆動装置は、シャッタを巻取り可能に回転し、巻き取られた前記シャッタをシャッタケースの両側端の間に収容可能であって、前記シャッタケース内に設けられた筒状の巻取り体と、前記巻取り体を回転駆動可能に前記巻取り体と連結されて前記シャッタを開閉する出力部を備える電動モータと、制御基板と、前記制御基板に設けられて、前記電動モータを制御する制御部と、遠隔操作される操作部から無線送信された操作指示信号を受信して前記制御部へ伝達すると共に被装着部を備えた無線モジュールと、前記シャッタケース内に前記巻取り体の回転軸線方向に沿って設けられて、前記電動モータと前記制御部と前記制御基板とを内部に設置するとともに、一端側には前記無線モジュールを装着する装着部を備えて他端側には前記電動モータの前記出力部を備えた駆動ボックスと、前記被装着部を前記装着部に装着する装着部材と、を有することを要旨とする。
【発明の効果】
【０００８】
これによれば、電動シャッタ駆動装置は、被装着部を備えた無線モジュールが、駆動ボックスに設けた装着部に装着部材により装着されるので、無線モジュールの交換は、装着部材の取り外しにて行なうことができる。従って、制御基板の交換を必要とすることなく無線モジュールを交換可能に駆動ボックスに取り付けることができる。
【図面の簡単な説明】
【０００９】
【図１】本発明による第一実施形態に係る電動シャッタ駆動装置を示す正面図である。
【図２】図1に示す駆動ボックスに無線モジュールの装着前の状態を示す斜視図である。
【図３】図1に示す駆動ボックスに無線モジュールの装着後の状態を示す斜視図である。
【図４】図1に示す駆動ボックスにおける無線モジュールの装着後の状態を示す上方から見た断面図である。
【図５】本発明による第二実施形態に係る電動シャッタ駆動装置を示す正面図である。
【図６】図５に示す駆動ボックスの第一実施例おける無線モジュールの装着前の状態を示す斜視図である。
【図７】図５に示す駆動ボックスの第一実施例おける無線モジュールの装着後の状態を示す斜視図である。
【図８】図５に示す駆動ボックスの第一実施例おける無線モジュールの装着後の状態を示す上方から見た断面図である。
【図９】図５に示す駆動ボックスの第一実施例おける一端側の部分拡大図である。
【図１０】図５に示す駆動ボックスの第二実施例おける無線モジュールの装着前の状態を示す斜視図である。
【図１１】図５に示す駆動ボックスの第二実施例おける無線モジュールの装着後の状態を示す斜視図である。
【図１２】図５に示す駆動ボックスの第二実施例おける無線モジュールの装着後の状態を示す上方から見た断面図である。
【図１３】図５に示す駆動ボックスの第二実施例おける一端側の部分拡大図である。
【図１４】図５に示す駆動ボックスの第二実施例おける一端側の断面図である。
【図１５】図５に示す駆動ボックスの第三実施例おける無線モジュールの装着前の状態を示す斜視図である。
【図１６】図５に示す駆動ボックスの第三実施例おける一端側の断面図である。
【発明を実施するための形態】
【００１０】
（第一実施形態）
本発明を実施するための第一実施形態の電動シャッタ駆動装置１０Ａについて、図１に基づいて説明する。電動シャッタ駆動装置１０Ａは、建物の出入口などを開閉するシャッタ１１を有するシャッタ装置１２に取り付けられる。電動シャッタ駆動装置１０Ａは、電動モータ２４の回転による巻取り体１５の作動にて、シャッタ１１を巻取り又は巻き戻して、シャッタ１１を開方向（上方向）及び閉方向（下方向）の移動方向へ移動させる。これにより、遮蔽可能空間を開閉可能とする。なお、本明細書においては説明の便宜上、図１における上側および下側をそれぞれ電動シャッタ駆動装置１０Ａの上方および下方として説明する。同じく左側および右側をそれぞれ電動シャッタ駆動装置１０Ａの左方および右方として説明する。図１乃至図１６には、各方向を示す矢印を示している。
【００１１】
＜シャッタ装置＞
シャッタ装置１２のフレーム１３は、一対のガイドレール１６、シャッタケース１７、下枠１８などを有している。一対のガイドレール１６は、出入口などの両側に離隔平行して立設されている。一対のガイドレール１６の上端に架け渡されるように、箱形のシャッタケース１７が設けられている。シャッタケース１７の内部空間は、シャッタ１１を巻き上げて収容する収容室１９になっている。一対のガイドレール１６の下端を連結するように、下枠１８が設けられている。以上の構成により、フレーム１３は、矩形の遮蔽可能空間１３ａを有する。
【００１２】
シャッタ１１は、フレーム１３の矩形の遮蔽可能空間１３ａを開閉可能とするように配設されている。シャッタ１１は、横に長い矩形帯状のスラット２０が複数個上下に連結されて構成されている。シャッタ１１の上端のスラット２０ｂは、巻取り体１５に係止されている。シャッタ１１の両側の側端部は、ガイドレール１６に案内されて上下に移動可能である。
【００１３】
シャッタ１１の下端のスラット２０ａの下側には、座板２１が設けられている。座板２１は、シャッタ１１の下枠１８への着地を安定化するための部材であり、座板２１の下端２１ａは、シャッタ１１の移動端を構成する
【００１４】
＜巻取り体＞
筒状の巻取り体１５は、シャッタケース１７の収容室１９内に配設され、シャッタケース１７により回転軸線２２周りに回転可能に支承されている。巻取り体１５の回転により、シャッタ１１の巻取り及び巻戻しをして、シャッタ１１は、フレーム１３の矩形の遮蔽可能空間１３ａを開閉可能とする。巻取り体１５により巻き取られたシャッタ１１は、収容室１９内、即ち、シャッタケース１７の両側端１７ａ、１７ｂの間に収容される。
【００１５】
巻取り体１５は、回転伝達部材２５を介して、駆動ボックス７０Ａの内部に設けられた電動モータ２４と連結されて、電動モータ２４により回転駆動される。回転伝達部材２５は、例えば、電動モータ２４の出力部２４ａ（図４に示す）に設けられたドライブスプロケット２５ａの回転を巻取り体１５に伝達する。ドライブスプロケット２５ａの回転はローラーチェーン（図示略）により巻取り体１５に設けられたドリブンスプロケット（図示略）に伝達して、巻取り体１５を回転させる。なお、電動モータ２４の回転は、減速機構２４ｂ（図４に示す）を介して、出力部２４ａに伝達される。
【００１６】
＜操作部＞
操作部４０は、電動シャッタ駆動装置１０Ａを遠隔操作するものである。操作部４０は、図１に示す如く、リモコンであり、電動シャッタ駆動装置１０Ａを操作するため操作指示信号を発する複数のスイッチを備える。複数のスイッチは、開スイッチ４０ａ、閉スイッチ４０ｂ及び停止スイッチ４０ｃである。操作部４０は、使用者により開スイッチ４０ａ、閉スイッチ４０ｂ及び停止スイッチ４０ｃが操作されることによって、所定の操作指示信号を無線モジュール５０に向けて無線送信する。無線モジュール５０にて受信された操作指示信号は、制御部６０（後述する）に伝達される。
【００１７】
＜無線モジュール＞
操作指示信号を受信するアンテナ部（図示略）を有する無線モジュール５０は、図２に示す如く、基部５０ａから延在したフランジ部５０ｂを有する。フランジ部５０ｂには装着穴５０ｃが設けられている。無線モジュール５０のフランジ部５０ｂ及び装着穴５０ｃは、無線モジュール５０が駆動ボックス７０Ａに装着される際に被装着部として機能する。無線モジュール５０のフランジ部５０ｂ側に、手動による確認操作が行なわれる確認操作部である確認操作スイッチ５０ｄが設けられる。確認操作スイッチ５０ｄは、無線通信のペアリング作業を行なうものである。
【００１８】
＜制御部＞
制御部６０（図４に示す）は、操作部４０からの操作指示信号に従って電動モータ２４を制御して、シャッタ１１を開方向及び閉方向の移動方向（図１の上下方向）に沿って移動させることにより、シャッタ１１の移動を制御するものである。制御部６０は、制御基板６１（図４に示す）に取り付けられている。制御部６０は、駆動ボックス７０Ａの内部に設けられている。
【００１９】
制御部６０と無線モジュール５０とは、電気的に接続され、制御部６０には、図４に示す如く、無線モジュール５０にて受信した操作指示信号が、例えばワイヤ６２等にて、伝達される。無線モジュール５０と制御部６０との電気的接続は、ワイヤ６２による接続に代えて、無線モジュール５０と制御部６０との両方にコネクタを設けて、無線モジュール５０の駆動ボックス７０Ａへの装着に伴って、コネクタ同士を接続することも可能である。これによれば、無線モジュール５０と制御部６０との電気的接続は、無線モジュール５０の駆動ボックス７０Ａへの装着と同時に行なうことができ、容易となる。
【００２０】
制御基板６１は、図４に示す如く、切欠き部６１ａを有する。切欠き部６１ａは、無線モジュール５０が駆動ボックス７０Ａに装着される際に、無線モジュール５０を配置可能に設けられて、装着部として機能する。
【００２１】
＜駆動ボックス＞
図１に示す如く、巻取り体１５の外側で巻取り体１５の回転軸線２２に沿ってシャッタケース１７の内側に、駆動ボックス７０Ａが配置され、駆動ボックス７０Ａはシャッタケース１７に固定される。駆動ボックス７０Ａには、図４に示す如く、電動モータ２４、電動モータ２４の出力部２４ａ、減速機構２４ｂ、ドライブスプロケット２５ａ、制御部６０、制御基板６１、無線モジュール５０が、設けられる。従って、この様な駆動ボックス７０Ａの配置により、電動モータ２４の出力部２４ａは、回転伝達部材２５を介して、巻取り体１５を巻取り体１５の外側から回転駆動する。
【００２２】
駆動ボックス７０Ａは、図２に示す如く、基部７１と、第一カバー７２と、第二カバー７３と、を備える。第一カバー７２は、基部７１の上方を覆う上部カバーである。第二カバー７３は、基部７１及び第一カバー７２の右端側に嵌め込まれて、基部７１及び第一カバー７２の右端にて囲まれた端面を覆う端面カバーである。なお、基部７１と第一カバー７２とは、ネジ止めしたり爪を引っかけたりするなど、公知の方法にて適宜結合する。
【００２３】
駆動ボックス７０Ａの第二カバー７３には、図２に示す如く、無線モジュール５０の基部５０ａを、駆動ボックス７０Ａの外方から内方へ挿入可能とする挿入用窓７３ａが設けられている。又、駆動ボックス７０Ａの第二カバー７３には、図２に示す如く、無線モジュール５０を駆動ボックス７０Ａに装着するに用いる装着穴７３ｂが設けられている。また、第二カバー７３には、電源（図示略）との接続に用いられる外部電源用コネクタ７５が設けられている。
【００２４】
駆動ボックス７０Ａの第二カバー７３に設けられた挿入用窓７３ａ及び装着穴７３ｂは、無線モジュール５０が駆動ボックス７０Ａに装着される際に装着部として機能する。ネジ７４（図２に示す）は、無線モジュール５０に設けられた装着穴５０ｃ及び駆動ボックス７０Ａの第二カバー７３に設けられた装着穴７３ｂに通される。ネジ７４は、無線モジュール５０を駆動ボックス７０Ａ、具体的には、駆動ボックス７０Ａの第二カバー７３にネジ止めにて装着する装着部材である。
【００２５】
ネジ止めでは、装着穴５０ｃ、装着穴７３ｂはネジ穴が形成される。なお、無線モジュール５０を駆動ボックス７０Ａに装着する装着部材としては、ネジの他、材料の弾性を利用して凸部を装着穴５０ｃ及び装着穴７３ｂを挿通させた後、その凸部を第二カバー７３に引っ掛ける所謂スナップフィットを用いることもできる。スナップフィットの場合は、装着穴５０ｃ、装着穴７３ｂは、ネジ穴でなく、通常の穴が形成される。
【００２６】
無線モジュール５０を駆動ボックス７０Ａに装着するには、図２に示す状態から、無線モジュール５０の基部５０ａを挿入用窓７３ａに挿通する。次いで、無線モジュール５０の基部５０ａは、制御基板６１の切欠き部６１ａに、図４に示す如く挿入される。この状態にて、ネジ７４を、無線モジュール５０に設けられた装着穴５０ｃ及び駆動ボックス７０Ａの第二カバー７３に設けられた装着穴７３ｂに通す。次いで、無線モジュール５０を駆動ボックス７０Ａの第二カバー７３にネジ止めをして、図４に示す如く、無線モジュール５０は、駆動ボックス７０Ａの一端側７０Ａａ（図４の右側）に装着される。
【００２７】
また、駆動ボックス７０Ａの一端側７０Ａａに装着した無線モジュール５０を交換するには、ネジ７４を緩めると、無線モジュール５０を駆動ボックス７０Ａから取リ外すことができ、無線モジュール５０を交換することができる。従って、無線モジュール５０を駆動ボックス７０Ａに着脱可能に装着したので、制御基板６１の交換を必要とすることなく無線モジュール５０を交換可能に駆動ボックス７０Ａに取り付けることができる。
【００２８】
駆動ボックス７０Ａは、図１に示す如く、巻取り体１５の外側で、シャッタケース１７の内部に配置される。駆動ボックス７０Ａの他端側７０Ａｂである電動モータ２４の出力部２４ａに連結されたドライブスプロケット２５ａは、巻取り体１５の左端側即ちシャッタケース１７の左側端１７ｂ寄りに配置される。従って、無線モジュール５０を装着した駆動ボックス７０Ａの一端側７０Ａａに設けられた確認操作スイッチ５０ｄは、シャッタケース１７の左右方向即ち長手方向の中央寄りに配置される。また、これに代えて、ドライブスプロケット２５ａが巻取り体１５の右端側即ちシャッタケース１７の右側端１７ａ寄りに配置される場合でも、同様に確認操作スイッチ５０ｄは、シャッタケース１７の左右方向即ち長手方向の中央寄りに配置される。
【００２９】
この様に、確認操作スイッチ５０ｄが配置されるシャッタケース１７の長手方向の中央寄りは、確認操作スイッチ５０ｄを手動操作するに必要なスペースもあり、確認操作スイッチ５０ｄを手動操作してペアリング作業を行なうことができる。
【００３０】
（第二実施形態）
次に本発明を実施するための第二実施形態の電動シャッタ駆動装置１０Ｂについて、図５に基づいて説明する。第二実施形態の電動シャッタ駆動装置１０Ｂは、前述の第一実施形態の電動シャッタ駆動装置１０Ａとは、巻取り体１５に対する駆動ボックスの配置が相違するのみである。即ち、第一実施形態の電動シャッタ駆動装置１０Ａの駆動ボックス７０Ａは、巻取り体１５の外側に配置されている。これに対し、第二実施形態の電動シャッタ駆動装置１０Ｂの駆動ボックス７０Ｂは、巻取り体１５の筒状の内部空間に配置されて回転伝達部材２５は、巻取り体１５の内側から回転駆動することのみが相違する。
【００３１】
前述の第一実施形態の無線モジュール５０と同一の無線モジュール５０を装着する第二実施形態の駆動ボックス７０Ｂの実施例について、以下に説明する。なお、第二実施形態の電動シャッタ駆動装置１０Ｂに関し、第一実施形態の電動シャッタ駆動装置１０Ａと同様な構成については、同一の番号を付して、詳細な説明は省略する。
【００３２】
＜第一実施例＞
無線モジュール５０を装着する駆動ボックス７０Ｂの第一実施例である駆動ボックス１７０Ｂを図６乃至図９に基づいて、説明する。駆動ボックス１７０Ｂは、前述の駆動ボックス７０Ａと同様に、基部１７１と、第一カバー１７２と、第二カバー１７３と、を備える。駆動ボックス１７０Ｂは、前述の駆動ボックス７０Ａと同様に、図５に示す如く、シャッタケース１７内に巻取り体１５の回転軸線２２方向に沿って設けられる。駆動ボックス１７０Ｂは、前述の駆動ボックス７０Ａと同様に、図８に示す如く。無線モジュール５０、電動モータ２４、制御部６０、制御基板６１、減速機構１２４ｂ、電動モータ２４の出力部１２４ａ、ドライブスプロケット１２５ａが設置される。
【００３３】
駆動ボックス１７０Ｂの一端側である１７０Ｂａに配置される第二カバー１７３には、図６に示す如く、無線モジュール５０の基部５０ａを、駆動ボックス１７０Ｂの外方から内方へ挿入可能とする挿入用窓７３ａが設けられている。装着部としての挿入用窓１７３ａ及び装着穴１７３ｂが設けられている。また、第二カバー１７３には、図６に示す如く、外部電源ライン７６（図８に示す）を通す穴７７が設けられている。外部電源ライン７６は、制御基板６１に電気的に接続される。
【００３４】
無線モジュール５０は、前述と同一であり、図６に示す如く、被装着部としてのフランジ部５０ｂ及び装着穴５０ｃが設けられ、又、確認操作スイッチ５０ｄを備える。
【００３５】
スナップフィット７４ａ（図８に示す）は、図６にて示した無線モジュール５０に設けられた装着穴５０ｃ及び駆動ボックス１７０Ｂの第二カバー７３に設けられた装着穴１７３ｂに通される。スナップフィット７４ａは、無線モジュール５０を駆動ボックス１７０Ｂ、具体的には、駆動ボックス１７０Ｂの第二カバー１７３に装着する装着部材である。
【００３６】
無線モジュール５０を駆動ボックス１７０Ｂの一端側１７０Ｂａに装着するには、図６に示す状態から、無線モジュール５０の基部５０ａを挿入用窓１７３ａに挿通する。次いで、無線モジュール５０の基部５０ａは、制御基板６１の切欠き部６１ａに、図８に示す如く挿入される。この状態にて、スナップフィット７４ａを、無線モジュール５０に設けられた装着穴５０ｃ及び駆動ボックス１７０Ｂの第二カバー１７３に設けられた装着穴１７３ｂに通す。次いで、スナップフィット７４ａを作用させて、図８及び図９に示す如く、無線モジュール５０は、駆動ボックス１７０Ｂの一端側１７０Ｂａ（図８の右側）に装着される。駆動ボックス１７０Ｂの他端側１７０Ｂｂは、電動モータ１２４の出力部１２４ａを備えた側であり、ドライブスプロケット１２５ａを備える。
【００３７】
また、駆動ボックス１７０Ｂの一端側１７０Ｂａに装着した無線モジュール５０を交換するには、工具（図示略）等を使用してスナップフィット７４ａを取り外す。次いで、無線モジュール５０を駆動ボックス１７０Ｂから取リ外すことにより、無線モジュール５０を交換することができる。従って、無線モジュール５０を駆動ボックス１７０Ｂの一端側１７０Ｂａに着脱可能に装着したので、制御基板６１の交換を必要とすることなく無線モジュール５０を交換可能に駆動ボックス１７０Ｂに取り付けることができる。
【００３８】
駆動ボックス１７０Ｂは、前述の如く、巻取り体１５の筒状の内部空間に配置されて、巻取り体１５の内側から巻取り体１５を回転駆動する。従って、図５に示す如く、駆動ボックス１７０Ｂの他端側１７０Ｂｂが、巻取り体１５の一端１５ａから内方に向けて配置される。
【００３９】
駆動ボックス１７０Ｂは、巻取り体１５の筒状の内部空間に配置されることに伴い、図９に示す如く、一端側１７０Ｂａにブラケット７８が設けられる。ブラケット７８は、駆動ボックス１７０Ｂを、シャッタケース１７の一側端１７ａに固定するに用いられる。
【００４０】
巻取り体１５の一端１５ａと、巻取り体１５の一端１５ａと対向するシャッタケース１７の両側端１７ａ、１７ｂのうち一側端（図５に示す例では右側端１７ａ）との間に、駆動ボックス１７０Ｂの一端側１７０Ｂａ即ち確認操作スイッチ５０ｄが配置される。この様に、確認操作スイッチ５０ｄが配置される巻取り体１５の一端１５ａと巻取り体１５の一端１５ａと対向するシャッタケース１７の両側端１７ａ、１７ｂのうちの一側端（右側端１７ａ）との間の距離は、短い。このため、確認操作スイッチ５０ｄの手動操作が可能なスペースは、狭い。
【００４１】
この様な駆動ボックス１７０Ｂの配置に伴い、駆動ボックス１７０Ｂの一端側１７０Ｂａには、図９に示す如く、確認操作用窓１８０が設けられることが好ましい。確認操作用窓１８０は、無線モジュール５０に設けられた確認操作スイッチ５０ｄを手動操作による確認作業を容易に行える様に設けられたもので、操作者の手の指先が確認操作スイッチ５０ｄに辿り着き易くする。確認操作用窓１８０は、図９に示す如く、駆動ボックス１７０Ｂの一端側１７０Ｂａで基部１７１に、所定の幅で巻取り体１５の回転軸線２２方向（図９に示す矢印左右方向）に沿うように形成される。確認操作用窓１８０は、シャッタケース１７の一側端（右側端１７ａ）に対向する側は、図９に示す如く、開放した開放部１８１を備える。
【００４２】
従って、確認操作用窓１８０に操作者は指を入れて、確認操作スイッチ５０ｄを手動操作することができる。確認操作用窓１８０を設けることにより、狭いスペースに配置される駆動ボックス１７０Ｂの確認操作スイッチ５０ｄにおいても、手動操作により確認操作スイッチを作動させることができる。
【００４３】
＜第二実施例＞
次に、無線モジュール５０を装着する第二実施例の駆動ボックス２７０Ｂを図１０乃至図１４に基づいて、説明する。駆動ボックス２７０Ｂは、前述の駆動ボックス１７０Ｂと同様に、基部２７１と、第一カバー２７２と、第二カバー２７３と、を備える。第二実施例の駆動ボックス２７０Ｂは、前述の第一実施例の駆動ボックス１７０Ｂとは、駆動ボックス２７０Ｂの基部２７１と第一カバー２７２とを結合する前に、無線モジュール５０を駆動ボックス２７０Ｂに装着することが相違する。
【００４４】
駆動ボックス２７０Ｂは、前述の駆動ボックス１７０Ｂと同様に、図５に示す如く、シャッタケース１７内に巻取り体１５の回転軸線２２方向に沿って設けられる。駆動ボックス１７０Ｂは、前述の駆動ボックス１７０Ｂと同様に、図１２に示す如く。無線モジュール５０、電動モータ２４、制御部６０、制御基板６１、減速機構１２４ｂ、電動モータ２４の出力部１２４ａ、ドライブスプロケット１２５ａが設置される。
【００４５】
第二実施例の駆動ボックス２７０Ｂは、図１０に示す如く、駆動ボックス２７０Ｂの基部２７１と第一カバー２７２とを結合する前に、無線モジュール５０を基部２７１の上方から、無線モジュール５０のフランジ部５０ｂ、装着穴５０ｃを下方に下ろす。次いで、無線モジュール５０のフランジ部５０ｂ、装着穴５０ｃを制御基板６１の切欠き部６１ａに通す。次いで、図１２に示す如く、ネジ７４を用いて無線モジュール５０を駆動ボックス２７０Ｂの一端側２７０Ｂａに装着する。無線モジュール５０の駆動ボックス２７０Ｂの一端側２７０Ｂａへの装着は、装着部である装着穴２７１ｂを用いて行なわれる。装着穴２７１ｂは、駆動ボックス２７０Ｂの基部２７１の構成要素であるプレート２７１ａに設けられている。
【００４６】
従って、無線モジュール５０を駆動ボックス２７０Ｂの一端側２７０Ｂａに着脱可能に装着したので、制御基板６１の交換を必要とすることなく無線モジュール５０を交換可能に駆動ボックス７０Ｂに取り付けることができる。駆動ボックス２７０Ｂの他端側２７０Ｂｂは、第一実施例の駆動ボックス１７０Ｂと同様に、電動モータ１２４の出力部１２４ａを備えた側であり、ドライブスプロケット１２５ａを備える。
【００４７】
駆動ボックス２７０Ｂは、巻取り体１５の筒状の内部空間に配置されることに伴い、図１３に示す如く、一端側２７０Ｂａにブラケット７８が設けられる。ブラケット７８は、駆動ボックス２７０Ｂを、シャッタケース１７の一側端１７ａに固定するに用いられる。
【００４８】
第二実施例の駆動ボックス２７０Ｂは、図１３に示す如く、駆動ボックス２７０Ｂの一端側２７０Ｂａで基部２７１の下部に、例えば円形の確認操作用窓２８０が設けられる。操作者は図１４に示す如く、工具例えばドライバー８２を確認操作用窓２８０に通して、駆動ボックス２７０Ｂの一端側２７０Ｂａに装着された確認操作スイッチ５０ｄを手動操作することができる。確認操作用窓２８０を設けることにより、前述の第一実施例の駆動ボックス１７０Ｂと同様に狭いスペースに配置される駆動ボックス２７０Ｂの確認操作スイッチ５０ｄにおいても、手動操作により確認操作スイッチ５０ｄを作動させることができる。
【００４９】
＜第三実施例＞
次に、無線モジュール５０を装着する第三実施例の駆動ボックス３７０Ｂを図１５及び図６に基づいて、説明する。駆動ボックス３７０Ｂは、前述の駆動ボックス１７０Ｂと同様に、基部３７１と、第一カバー３７２と、第二カバー３７３と、を備える。駆動ボックス３７０Ｂは、前述の第一実施例の駆動ボックス１７０Ｂとは、図１５に示す如く、駆動ボックス３７０Ｂの径方向から無線モジュール５０を装着することが相違する。
【００５０】
駆動ボックス３７０Ｂは、前述の駆動ボックス１７０Ｂと同様に、図５に示す如く、シャッタケース１７内に巻取り体１５の回転軸線２２方向に沿って設けられる。駆動ボックス３７０Ｂは、前述の駆動ボックス１７０Ｂと同様に、無線モジュール５０、電動モータ２４、制御部６０、制御基板６１、減速機構１２４ｂ、電動モータ２４の出力部１２４ａ、ドライブスプロケット１２５ａが設置される。
【００５１】
駆動ボックス３７０Ｂは、図１６に示す如く、駆動ボックス３７０Ｂの一端側３７０Ｂａに無線モジュール５０をネジ７４にて装着する装着部が設けられる。装着部は、図１５及び図１６に示す如く、無線モジュール５０を駆動ボックス３７０Ｂの外方から内方へ挿入可能とする挿入用窓３７１ａ及び無線モジュール５０を駆動ボックス３７０Ｂに装着するに用いる装着穴３７１ｂが基部３７１に設けられている。
【００５２】
この様に、第三実施例の駆動ボックス３７０Ｂは、前述の第一実施例の駆動ボックス１７０Ｂ及び第二実施例の駆動ボックス２７０Ｂと同様に、無線モジュール５０を駆動ボックス３７０Ｂの一端側３７０Ｂａに着脱可能に装着する。これにより、制御基板６１の交換を必要とすることなく無線モジュール５０を交換可能に駆動ボックス３７０Ｂの一端側３７０Ｂａに取り付けることができる。駆動ボックス３７０Ｂの他端側３７０Ｂｂには、第一実施例の駆動ボックス１７０Ｂと同様に、電動モータ１２４の出力部１２４ａを備え、図１５では、出力部１２４ａに連結されたドライブスプロケット１２５が示される。
【００５３】
駆動ボックス３７０Ｂは、巻取り体１５の筒状の内部空間に配置されることに伴い、図１６に示す如く、一端側３７０Ｂａがブラケット７８を介して、シャッタケース１７の一側端１７ａに固定される。
【００５４】
上述のように、本発明の第一実施形態及び第二実施形態に係る電動シャッタ駆動装置１０Ａ、１０Ｂによれば、シャッタ１１を巻取り可能に回転し、巻き取られたシャッタ１１をシャッタケース１７の両側端１７ａ、１７ｂの間に収容可能であって、シャッタケース１７内に設けられた筒状の巻取り体１５と、巻取り体１５を回転駆動可能に巻取り体１５と連結されてシャッタ１１を開閉する出力部２４ａ、１２４ａを備える電動モータ２４と、制御基板６１と、制御基板６１に設けられて、電動モータ２４を制御する制御部６０と、遠隔操作される操作部４０から無線送信された操作指示信号を受信して制御部６０へ伝達すると共に被装着部５０ｂ、５０ｃを備えた無線モジュール５０と、シャッタケース１７内に巻取り体１５の回転軸線２２方向に沿って設けられて、電動モータ２４と制御部６０と制御基板６１とを内部に設置するとともに、一端側７０Ａａ、１７０Ｂａ、２７０Ｂａ、３７０Ｂａには無線モジュール５０を装着する装着部７３ａ、７３ｂ、１７３ａ、１７３ｂ、２７１ｂ、３７１ａ、３７１ｂを備えて他端側７０Ａｂ、１７０Ｂｂ、２７０Ｂｂ、３７０Ｂｂには電動モータ２４の出力部２４ａ、１２４ａを備えた駆動ボックス７０Ａ、１７０Ｂ、２７０Ｂ、３７０Ｂと、被装着部５０ｂ、５０ｃを装着部７３ａ、７３ｂ、１７３ａ、１７３ｂ、２７１ｂ、３７１ａ、３７１ｂに装着する装着部材７４、７４ａと、を有する。これにより、電動シャッタ駆動装置１０Ａ、１０Ｂは、被装着部５０ｂ、５０ｃを備えた無線モジュール５０が、駆動ボックス７０Ａ、１７０Ｂ、２７０Ｂ、３７０Ｂに設けた装着部７３ａ、７３ｂ、１７３ａ、１７３ｂ、２７１ｂ、３７１ａ、３７１ｂに装着部材７４、７４ａにより装着されるので、無線モジュール５０の交換は、装着部材７４、７４ａの取り外しにて行なうことができる。従って、制御基板６１の交換を必要とすることなく無線モジュール５０を交換可能に駆動ボックスに取り付けることができる。
【００５５】
上述のように、本発明の第一実施形態及び第二実施形態に係る電動シャッタ駆動装置１０Ａ、１０Ｂによれば、装着部７３ａ、７３ｂ、１７３ａ、１７３ｂ、２７１ｂは、無線モジュール５０を配置可能に制御基板６１に設けられた切欠き部６１ａを有する。これにより、切欠き部６１ａのスペースに、無線モジュール５０を配置でき、無線モジュール５０の駆動ボックス７０Ａ、７０Ｂへの装着が容易となる。
【００５６】
上述のように、本発明の第一実施形態及び第二実施形態に係る電動シャッタ駆動装置１０Ａ、１０Ｂによれば、装着部７３ａ、７３ｂ、１７３ａ、１７３ｂ、３７１ａ、３７１ｂは、無線モジュール５０を駆動ボックス７０Ａ、１７０Ｂ、３７０Ｂの外方から内方へ挿入可能とする挿入用窓７３ａ、１７３ａ、３７１ａが駆動ボックス７０Ａ、１７０Ｂ、３７０Ｂに設けられる。これにより、無線モジュール５０は、駆動ボックス７０Ａ、１７０Ｂ、３７０Ｂの内部への装着が容易となる。
【００５７】
上述のように、本発明の第二実施形態に係る電動シャッタ駆動装置１０Ｂによれば、駆動ボックス１７０Ｂ、２７０Ｂは巻取り体１５の内部に巻取り体１５の一端１５ａから他端側を内方に向けて設置され、無線モジュール５０には手動による確認操作が行なわれる確認操作部５０ｄが設けられて、確認操作部５０ｄは、駆動ボックス１７０Ｂ、２７０Ｂの一端側１７０Ｂａ、２７０Ｂａに配置され、駆動ボックス１７０Ｂ、２７０Ｂの一端側１７０Ｂａ、２７０Ｂａは巻取り体１５の一端１５ａとシャッタケース１７の両側端１７ａ、１７ｂの内のうちの一側端側１７ａとの間に配置され、駆動ボックス１７０Ｂ、２７０Ｂに確認操作に使用可能な確認操作用窓１８０、２８０が設けられる。これにより、駆動ボックス１７０Ｂ、２７０Ｂが巻取り体１５の内部に他端側１７０Ｂｂ、２７０Ｂｂを内方に向けて設置され、無線モジュール５０には手動による確認操作が行なわれる確認操作部５０ｄが設けられる構成の電動シャッタ駆動装置１０Ｂ、即ち狭いスペースに駆動ボックス１７０Ｂ、２７０Ｂが配置されるタイプの電動シャッタ駆動装置１０Ｂにおいても、共通の無線モジュール５０を駆動ボックス１７０Ｂ、２７０Ｂに装着できるとともに確認操作部５０ｄの手動操作を行なうことができる。
【００５８】
上述のように、本発明の第二実施形態に係る電動シャッタ駆動装置１０Ｂによれば、確認操作用窓１８０は、駆動ボックス１７０Ｂの一端側１７０Ｂａで、所定の幅で巻取り体１５の回転軸線２２方向に沿う。これにより、手動操作を行なうスペースが確保できる。
【００５９】
上述のように、本発明の第二実施形態に係る電動シャッタ駆動装置１０Ｂによれば、確認操作用窓１８０は、シャッタケース１７の一側端１７ａに対向する側は開放した開放部１８１を備える。これにより、開放部１８１により、確認操作部５０ｄの手動操作が行なえるスペースを広げることができ、手動操作が容易となる。
【００６０】
なお、前述の電動シャッタ駆動装置１０Ａ、１０Ｂでは、無線モジュール５０の被装着部５０ｂ、５０ｃを、駆動ボックス７０Ａ、１７０Ｂ、２７０Ｂ、３７０Ｂに設けた装着部７３ａ、７３ｂ、１７３ａ、１７３ｂ、２７１ｂ、３７１ａ、３７１ｂに装着する装着部材７４、７４ａとして、無線モジュールの駆動ボックスへの取り付け及び取り外しが自由にできるネジ７４、あるいは、無線モジュールの駆動ボックスへの取り付けは、通すことによりネジ７４と同様に自由にでき、無線モジュールの駆動ボックスからの取り外しは、工具等を必要とするスナップフィット７４ａとした例を示した。しかしながら、これらのネジ、スナップフィットに限らず、その他に、装着部材は、例えば、駆動ボックスに係止されたバネとし、当該バネの付勢にて無線モジュールを駆動ボックスに装着する場合等、装着部材としてのバネは、駆動ボックスにバネを係止する即ち装着部材を組み立てて無線モジュールの駆動ボックスへの取り付けができ、また、駆動ボックスに係止されたバネを駆動ボックスから分離する即ち組み立てた装着部材の分解により無線モジュールの駆動ボックスからの取り外しができる構成等を含めて、無線モジュールの被装着部を、駆動ボックスに設けた装着部に着脱可能に装着する構成に変更できることは明らかである。
【００６１】
なお、複数の実施の形態が存在する場合、特に記載がある場合を除き、各々の実施の形態の特徴部分を適宜組合せることが可能であることは、明らかである。
【符号の説明】
【００６２】
１０Ａ、１０Ｂ…電動シャッタ駆動装置  １１…シャッタ  １５…巻取り体  １５ａ…一端（巻取り体の一端）  １７…シャッタケース  １７ａ、１７ｂ…シャッタケースの両側端  ２２…巻取り体の回転軸線  ２４…電動モータ  ２４ａ…出力部  ４０…操作部  ５０…無線モジュール  ５０ｂ…フランジ部（被装着部）  ５０ｃ…装着穴（被装着部）  ５０ｄ…確認操作スイッチ（確認操作部）  ６０…制御部  ６１…制御基板  ６１ａ…切欠き部（制御基板の切欠き部）  ７０Ａ…駆動ボックス  ７０Ａａ…一端側（駆動ボックスの一端側）  ７０Ａｂ…他端側（駆動ボックスの他端側）  ７３ａ…挿入用窓（装着部）  ７３ｂ…装着穴（装着部）  ７４…ネジ（装着部材）  ７４ａ…スナップフィット（装着部材）  １２４ａ…出力部  １７０Ｂ…駆動ボックス  １７０Ｂａ…一端側（駆動ボックスの一端側）  １７０Ｂｂ…他端側（駆動ボックスの他端側）  １７３ａ…挿入用窓（装着部）  １７３ｂ…装着穴（装着部）  １８０…確認操作用窓  １８１…開放部  ２７０Ｂ…駆動ボックス  ２７０Ｂａ…一端側（駆動ボックスの一端側）  ２７０Ｂｂ…他端側（駆動ボックスの他端側）  ２７１ｂ…装着穴（装着部）  ２８０…確認操作用窓  ３７０Ｂ…駆動ボックス  ３７０Ｂａ…一端側（駆動ボックスの一端側）  ３７０Ｂｂ…他端側（駆動ボックスの他端側）  ３７１ａ…挿入用窓（装着部）  ３７１ｂ…装着穴（装着部）。
【図１】
2019178564.tif 000003
【図２】
2019178564.tif 000004
【図３】
2019178564.tif 000005
【図４】
2019178564.tif 000006
【図５】
2019178564.tif 000007
【図６】
2019178564.tif 000008
【図７】
2019178564.tif 000009
【図８】
2019178564.tif 000010
【図９】
2019178564.tif 000011
【図１０】
2019178564.tif 000012
【図１１】
2019178564.tif 000013
【図１２】
2019178564.tif 000014
【図１３】
2019178564.tif 000015
【図１４】
2019178564.tif 000016
【図１５】
2019178564.tif 000017
【図１６】
2019178564.tif 000018